(57)【特許請求の範囲】
【請求項１】
左サウンドチャンネル（L）ピン、該Lピンと接続及び切断可能な第一ピン、右サウンドチャンネル（R）ピン及び該Rピンと接続及び切断可能な第二ピンを備えるイヤホン挿抜検出回路であって、
該回路は前記第一ピンと接続する左検出信号線及び前記第二ピンと接続する右検出信号線を更に備え、前記左検出信号線と右検出信号線がそれぞれプルアップ抵抗を接続或は配置し、前記LピンとRピンがそれぞれプルダウン抵抗を接続することを特徴とするイヤホン挿抜検出回路。
【請求項２】
前記プルアップ抵抗とプルダウン抵抗の抵抗値は
前記Lピンと第一ピンが接続する時、前記左検出信号線を低レベルにプルダウンさせ、前記Lピンと第一ピンが切断する時、前記左検出信号線を高レベルにプルアップさせ、且つ前記Rピンと第二ピンが接続する時、前記右検出信号線を低レベルにプルダウンさせ、Rピンと第二ピンが切断する時、前記右検出信号線を高レベルにプルアップさせる請求項１に記載の回路。
【請求項３】
左サウンドチャンネル（L）ピン、該Lピンと接続及び切断可能な第一ピン、右サウンドチャンネルピン（R）及び該Rピンと接続及び切断可能な第二ピンを備えるイヤホン挿抜検出回路であって、
該回路は前記第一ピンと接続する左検出信号線及び前記第二ピンと接続する右検出信号線を更に備え、前記左検出信号線と右検出信号線がそれぞれプルダウン抵抗を接続或は配置し、前記LピンとRピンがそれぞれプルアップ抵抗を接続することを特徴とするイヤホン挿抜検出回路。
【請求項４】
前記プルアップ抵抗とプルダウン抵抗の抵抗値は
前記Lピンと第一ピンが接続する時、前記左検出信号線を高レベルにプルアップさせ、前記Lピンと第一ピンが切断する時、前記左検出信号線を低レベルにプルダウンさせ、且つ前記Rピンと第二ピンが接続する時、前記右検出信号線を高レベルにプルアップさせ、Rピンと第二ピンが切断する時、前記右検出信号線を低レベルにプルダウンさせる請求項３に記載の回路。
【請求項５】
前記LピンとRピンがそれぞれ接続するプルアップ抵抗はイヤホンコイル抵抗よりも9〜10倍大きい請求項４に記載の回路。 
【発明の詳細な説明】
【技術分野】
【０００１】
本発明は端末設備の技術分野に関し、特にイヤホン挿抜検出回路に関する。
【背景技術】
【０００２】
イヤホンは既に端末製品の標準的な構成付属品になっている。イヤホンを使用する時、通常は端末製品が自動的にイヤホンの挿入と抜出の状態を識別できることを要求されるため、イヤホン挿抜検出回路を採用することが必要である。イヤホン挿抜検出回路の形式は多種多様であり、スプリングシート式イヤホン挿抜検出回路は回路が簡単で、コストが低く、且つ占用するプリント回路基板（Printed Circuit Board、PCB）の面積が小さいメリットを有するため、幅広く採用されている。
【０００３】
図1は四極イヤホンプラグ及びソケットピンの定義の模式図であり、四極イヤホンプラグは3.5mmと2.5mmの二種類を含み、プラグピンの定義は根元から先端部までそれぞれGND（グランド）、MIC（マイク）、R（右サウンドチャンネル）とL（左サウンドチャンネル）である。三極イヤホンプラグと四極イヤホンプラグとの区別はMICピンがないことである。四極イヤホンソケットピンの定義は1グランド（GND）、2右サウンドチャンネル（R）、2ピンと常閉接続を形成する第二ピン3、5左サウンドチャンネル（L）、5ピンと常閉接続を形成する第一ピン4、6マイク（MIC）を含み、三極イヤホンソケットと四極イヤホンソケットとの区別はマイク（MIC）ピンがないことである。
【０００４】
現在、イヤホンソケット内部の機械のスプリングシートセット、例えば4ピン及び4ピンと常閉する5ピンによって、イヤホンの挿入と抜出の検出を実現する。イヤホンを挿入すると、5ピンが切断し、電気的に4ピンと切断し、ハードウェアにおいて中断を形成し、制御回路に報告し、端末設備は中断サービスプログラムを起動する。イヤホンを抜き出すと、制御回路が検出した後、サービスプログラムから退出する。イヤホンの挿入と抜出はイヤホンソケットの4ピンと5ピンを切断と閉合させるため、正確にイヤホンの挿抜状態を検出できるかどうかはイヤホンソケット内部の機械のスプリングシートと密接に関係がある。イヤホンソケットの品質問題が発生した時、例えば4ピンと5ピンが本来ならば常閉すべきであるのに、常閉していない場合、コントローラーはイヤホンの挿入があると誤判断することを引き起こす可能性があり、端末製品にイヤホン符号が出現し、同時にオ―ディオチャンネルをイヤホン側に切換し、端末製品全体が無声状態にあることを引き起こし、ユーザーの正常な使用に重大な影響を及ぼす。
【発明の概要】
【発明が解決しようとする課題】
【０００５】
本発明が解決しようとする技術的課題はイヤホン挿抜検出回路を提供し、より信頼的にイヤホンの挿抜状態を検出することを実現することである。
【課題を解決するための手段】
【０００６】
上記技術的課題を解決するために、本発明はイヤホン挿抜検出回路を提供し、該回路は左サウンドチャンネル（L）ピン、該Lピンと接続及び切断可能な第一ピン、右サウンドチャンネル（R）ピン及び該Rピンと接続及び切断可能な第二ピンを備え、その中、
該回路は更に前記第一ピンと接続する左検出信号線を備え、該左検出信号線がプルアップ抵抗を接続或は配置し、前記第一ピンと前記第二ピンが電気的に接続し、前記Lピンと前記Rピンがそれぞれプルダウン抵抗を接続する。
【０００７】
前記プルアップ抵抗とプルダウン抵抗の抵抗値は前記Lピンと第一ピンが接続、及び/又はRピンと第二ピンが接続する時、前記左検出信号線を低レベルにプルダウンさせ、また前記Lピンと第一ピンが切断し、且つRピンと第二ピンが切断する時、前記左検出信号線を高レベルにプルアップさせる。
【０００８】
上記技術的課題を解決するために、本発明は更にイヤホン挿抜検出回路を提供し、該回路は左サウンドチャンネル（L）ピン、該Lピンと接続及び切断可能な第一ピン、右サウンドチャンネル（R）ピン及び該Rピンと接続及び切断可能な第二ピンを備え、その中、該回路は更に前記第一ピンと接続する左検出信号線を備え、該左検出信号線がプルダウン抵抗を接続或は配置し、前記第一ピンと前記第二ピンが電気的に接続し、前記LピンとRピンがそれぞれプルアップ抵抗を接続する。
【０００９】
前記プルアップ抵抗とプルダウン抵抗の抵抗値は前記Lピンと第一ピンが接続、及び/又はRピンと第二ピンが接続する時、前記左検出信号線を高レベルにプルアップさせ、また前記Lピンと第一ピンが切断し、且つRピンと第二ピンが切断する時、前記左検出信号線を低レベルにプルダウンさせる。
【００１０】
前記LピンとRピンがそれぞれ接続するプルアップ抵抗はイヤホンコイル抵抗の9〜10倍より大きい。
【００１１】
上記技術的課題を解決するために、本発明はイヤホン挿抜検出回路を提供し、該回路は左サウンドチャンネル（L）ピン、該Lピンと接続及び切断可能な第一ピン、右サウンドチャンネル（R）ピン及び該Rピンと接続及び切断可能な第二ピンを備え、その中、
該回路は更に前記第一ピンと接続する左検出信号線及び前記第二ピンと接続する右検出信号線を備え、前記左検出信号線と右検出信号線がそれぞれプルアップ抵抗を接続或は配置し、前記LピンとRピンがそれぞれプルダウン抵抗を接続する。
【００１２】
前記プルアップ抵抗とプルダウン抵抗の抵抗値は前記Lピンと第一ピンが接続する時、前記左検出信号線を低レベルにプルダウンさせ、前記Lピンと第一ピンが切断する時、前記左検出信号線を高レベルにプルアップさせ、且つ前記Rピンと第二ピンが接続する時、前記右検出信号線を低レベルにプルダウンさせ、Rピンと第二ピンが切断する時、前記右検出信号線を高レベルにプルアップさせる。
【００１３】
上記技術的課題を解決するために、本発明は更にイヤホン挿抜検出回路を提供し、該回路は左サウンドチャンネル（L）ピン、該Lピンと接続及び切断可能な第一ピン、右サウンドチャンネルピン（R）及び該Rピンと接続及び切断可能な第二ピンを備え、その中、
該回路は更に前記第一ピンと接続する左検出信号線及び前記第二ピンと接続する右検出信号線を備え、前記左検出信号線と右検出信号線がそれぞれプルダウン抵抗を接続或は配置し、前記LピンとRピンがそれぞれプルアップ抵抗を接続する。
【００１４】
前記プルアップ抵抗とプルダウン抵抗の抵抗値は前記Lピンと第一ピンが接続する時、前記左検出信号線を高レベルにプルアップさせ、前記Lピンと第一ピンが切断する時、前記左検出信号線を低レベルにプルダウンさせ、且つ前記Rピンと第二ピンが接続する時、前記右検出信号線を高レベルにプルアップさせ、Rピンと第二ピンが切断する時、前記右検出信号線を低レベルにプルダウンさせる。
【００１５】
前記LピンとRピンがそれぞれ接続するプルアップ抵抗はイヤホンコイル抵抗の9〜10倍より大きい。
【発明の効果】
【００１６】
以上の内容をまとめると、本発明は回路が簡単で、PCBが占用する面積が小さく、ハードウェアのコストが低いメリットを有する上に、イヤホン挿抜検出の信頼性を効果的に向上できる。
【図面の簡単な説明】
【００１７】
【図１】従来技術における四極イヤホンプラグ及びソケットピンの定義の模式図である。
【図２】実施形態によるイヤホン挿抜検出回路の実施例1の模式図である。
【図３】実施形態によるイヤホン挿抜検出回路の実施例2の模式図である。
【図４】実施形態によるイヤホン挿抜検出回路の実施例3の模式図である。
【図５】実施形態によるイヤホン挿抜検出回路の実施例4の模式図である。
【発明を実施するための形態】
【００１８】
以下、図面を参照しながら、本発明を詳しく説明する。ただし、衝突しない場合に、本出願における実施例及び実施例の中の特徴を任意に組み合わせることができる。
【００１９】
＜実施例1＞
図2に示すのは本発明のイヤホン挿抜検出回路であり、Lピン5、Lピン5と常閉接続されている第一ピン4、Rピン2、該Rピン2と常閉接続されている第二ピン3、及び第一ピン4と接続する左検出信号線を備え、左検出信号線はプルアップ抵抗R1を接続或は配置し、第一ピン4と第二ピン3が電気的に接続し、Lピン5とRピン2がそれぞれプルダウン抵抗を接続する。
【００２０】
左検出信号線に接続する抵抗R1はプルアップ抵抗であり、もし左検出信号線が内部にプルアップ抵抗を配置できれば、R1を省略してもよい。R1は左サウンドチャンネル出力（L_OUT）信号線に接続するプルダウン抵抗R3及び右サウンドチャンネル出力（R_OUT）信号線に接続するプルダウン抵抗R2と分圧回路を形成し、且つ、R2とR3のプルダウン能力はいずれもR1のプルアップ能力より遥かに強く、イヤホンを挿入していない時、左検出信号線が低レベルとなり、例えば、R1の抵抗値は少なくともR2とR3の10倍以上であり、R1の抵抗値が100 KΩであれば、R2とR3の抵抗値は10KΩとなる。ここでは、10倍以上に限定せず、経験によって数値を取ることができ、例えば9倍、9.5倍等でもよい。
【００２１】
イヤホンソケットの第二ピン3と第一ピン4は電気的に接続する。イヤホンを挿入する時、イヤホンソケットRピン2とLピン5が切断し、電気的にそれぞれ第二ピン3と第一ピン4と切断し、プルダウン抵抗R2とR3が作用を失い、プルアップ抵抗R1は左検出信号線が高レベルにプリアップされ、ハードウェアの中断を形成し、イヤホンの挿入を検出し、イヤホンの抜出過程は逆である。イヤホンソケットが品質問題でRピン2と第二ピン3、或は第一ピン4とLピン5の中の何れかのセットが常閉を形成できなく、別のセットが依然として正常に作動できる時、例えば、第一ピン4とLピン5は常閉することが失効になるが、R1とR2が依然として常閉のRピン2と第二ピン3によって分圧を形成でき、イヤホンを挿入すると、Rピン2が切断し、電気的に第二ピン3と切断し、左検出信号線が高レベルにプルアップされ、ハードウェアの中断を形成し、イヤホンの挿入を検出し、イヤホンの抜出過程は逆である。ここにより、該検出回路が一つセットの常閉ピンのみ有効であればよいと要求され、イヤホン挿抜検出の信頼性を向上させることは提供する。
【００２２】
＜実施例２＞
図3に示すのは本発明のイヤホン挿抜検出回路であり、該回路はLピン5、該Lピン5と接続及び切断可能な第一ピン4、Rピン2、該Rピン2と接続及び切断可能な第二ピン3及び第一ピン4を接続する左検出信号線を備え、該左検出信号線がプルダウン抵抗R1を接続或は配置し、第一ピン4と第二ピン3が電気的に接続し、Lピン5とRピン2がそれぞれプルアップ抵抗R3とR2を接続する。
【００２３】
左検出信号線に接続する抵抗R1はプルダウン抵抗であり、もし左検出信号線が内部にプルダウン抵抗を配置できれば、該抵抗を省略してもよい。R1は左サウンドチャンネル出力信号線（L_OUT）に接続するプルアップ抵抗R3及び右サウンドチャンネル出力信号線に接続するプルアップ抵抗R2と分圧回路を形成し、且つプルアップ抵抗R2とR3のプルアップ能力はプルダウン抵抗R1のプルダウン能力より遥かに強く、イヤホンを挿入していない時、左検出信号線が高レベルであるようにし、その同時に、R2とR3の抵抗値が32オーム（イヤホンコイル抵抗）より9〜10倍大きいことは最適であり、それにより、イヤホンを挿入する状態で、イヤホンに対して比較的に大きい電流分流をもたらし、イヤホンの効果を影響することを回避する。
【００２４】
イヤホンを挿入する時、イヤホンソケットのRピン2とLピン5が切断し、電気的にそれぞれ第二ピン3と第一ピン4と切断し、プルアップ抵抗R2とR3が作用を失い、プルダウン抵抗R1は左検出信号線が低レベルにプルダウンされ、ハードウェアの中断を形成し、イヤホンの挿入を検出し、イヤホンの抜出過程は逆である。該検出回路は一つセットの常閉のみ有効であればよいと要求する。例えば、第一ピン4とLピン5は常閉することが失効になるが、R1とR2が依然として常閉のRピン2と第二ピン3によって分圧を形成でき、イヤホンを挿入する時、Rピン2が切断し、電気的に第二ピン3と切断し、左検出信号線が高レベルにプルダウンされ、ハードウェアの中断を形成し、イヤホンの挿入を検出し、イヤホンの抜出過程は逆である。
【００２５】
＜実施例３＞
図4に示すのは本発明のイヤホン挿抜検出回路であり、該回路はLピン5、該Lピン5と接続及び切断可能な第一ピン4、Rピン2、該Rピン2と接続及び切断可能な第二ピン3及び第一ピン4と接続する左検出信号線、及び第二ピン3と接続する右検出信号線を備え、左検出信号線と右検出信号線はそれぞれプルアップ抵抗を接続或は配置し、LピンとRピンはそれぞれプルダウン抵抗を接続する。
【００２６】
左検出信号線に接続する抵抗R1はプルアップ抵抗であり、左検出信号線は内部にプルアップ抵抗を配置できれば、該抵抗を省略してもよい。R1は左サウンドチャンネル出力信号線（L_OUT）に接続するプルダウン抵抗R3は常閉の第一ピン4とLピン5によって分圧回路を形成する。右検出信号線に接続するプルアップ抵抗はR4であり、右検出信号線は内部にプルアップ抵抗を配置できれば、R4を省略してもよい。R4は右サウンドチャンネル出力信号線（R_OUT）に接続するプルダウン抵抗R2は常閉のRピン2と第二ピン3によって分圧回路を形成し、且つR2とR3のプルダウン能力はいずれもR1とR4のプルアップ能力より遥かに強く、イヤホンを挿入していない時、左検出信号線と右検出信号線がいずれも低レベルにプルダウンされる。
【００２７】
イヤホンを挿入する時、イヤホンソケットRピン2とLピン5が切断し、電気的にそれぞれ第二ピン3と第一ピン4と切断し、プルダウン抵抗R2とR3は作用を失い、プルアップ抵抗は左検出信号線と右検出信号線がいずれも高レベルにプルアップされ、ハードウェアの中断を形成し、イヤホンの挿入を検出し、イヤホンの抜出過程は逆である。その中の一つセットの常閉ピンは失効すると、その中の一つの検出ピンが高レベルであり、その他の一つの検出ピンが低レベルであり、この時、制御回路はイヤホンの挿入がないと見なす。イヤホンを挿入する時、失効していない一つセットのイヤホンスプリングシートが切断し、電気的に分離し、この時、二つの検出ピンはいずれも高レベルであり、制御回路はイヤホンが挿入されると見なし、イヤホンを検出する。これにより、一つセットの常閉ピンが失効する時、検出回路は依然として正確にイヤホンの挿抜を検出でき、イヤホン挿抜の信頼性を効果的に向上させる。
【００２８】
＜実施例４＞
図5に示すのは本発明のイヤホン挿抜検出回路であり、該回路はLピン5、該Lピン5と接続及び切断可能な第一ピン4、Rピン2、該Rピン2と接続及び切断可能な第二ピン3及び第一ピン4と接続する左検出信号線、及び第二ピン3と接続する右検出信号線を備え、左検出信号線と右検出信号線はそれぞれプルダウン抵抗を接続或は配置し、Lピン5とRピン2はそれぞれプルアップ抵抗を接続する。
【００２９】
左検出信号線に接続する抵抗R1はプルダウン抵抗であり、左検出信号線が内部にプルダウン抵抗を配置できれば、該抵抗を省略してもよい。R1は左サウンドチャンネル出力（L_OUT）信号線に接続するプルアップ抵抗R3と分圧回路を形成する。右検出信号線の上のプルダウン抵抗はR4であり、右検出信号線は内部にプルダウン抵抗を配置できれば、該抵抗を省略してもよい。R4は右サウンドチャンネル出力（R_OUT）信号線の上のプルアップ抵抗R2と分圧回路を形成する。且つ、R2とR3のプルアップ能力はいずれもR1とR4のプルダウン能力より遥かに強く、イヤホンを挿入していない時、左検出信号線と右検出信号線がいずれも高レベルにプルアップされ、その同時に、R2とR3の抵抗値が32オーム（イヤホンコイル抵抗）より9〜10倍大きいことは最適であり、それにより、イヤホンを挿入する状態で、イヤホンに対して比較的に大きい電流分流をもたらし、イヤホンの効果を影響することを回避する。
【００３０】
イヤホンを挿入する時、イヤホンソケットRピン2とLピン5が切断し、電気的にそれぞれ第二ピン3と第一ピン4と切断し、プルアップ抵抗R2とR3は作用を失い、プルダウン抵抗の左検出信号線と右検出信号線がいずれも低レベルにプルダウンされ、ハードウェアの中断を形成し、イヤホンの挿入を検出し、イヤホンの抜出過程は逆である。その中の一つセットの常閉ピンは作用を失う時、その中の一つの検出ピンは低レベルであり、その他の一つの検出ピンは高レベルと検出され、この時、制御回路はイヤホンの挿入がないものと見なす。イヤホンを挿入する時、失効していない一つセットのイヤホンスプリングシートが切断し、電気的に分離し、この時、二つの検出ピンはいずれも低レベルであり、制御回路はイヤホンが挿入されたと見なし、イヤホンを検出した。これにより、一つセットの常閉ピンは失効する時、検出回路は依然として正確にイヤホン挿抜を検出でき、イヤホン挿抜の信頼性を効果的に向上させる。
【００３１】
本実施の形態において、更に上記イヤホン挿抜検出回路を採用する端末を提供し、イヤホン挿抜検出回路は端末のシェルに設置され、イヤホン挿抜検出回路の構造は前記の通りであり、ここでは贅言しない。
【００３２】
両スプリングシートのイヤホン挿抜検出回路は同様に二つセットの常開ピンを有するイヤホンソケットに適用し、原理が類似する。以上の回路形式はいずれもイヤホン挿抜検出の信頼性を向上でき、実施例1は占用したリソースが少なく、回路が比較的に簡単であるので、実施例1を優先に選択する。且つ、検出ピンは内部にプルアップ或はプルダウン抵抗を配置可能である時、検出ピンにおけるプルアップ或はプルダウン抵抗を省略でき、更にPCB空間とハードウェアのコストを節約する。
【００３３】
上記の内容は本発明の好適な実施例に過ぎず、本発明を制限することに用いられるものではなく、当業者にとって、本発明が各種の変更と変化を行うことができる。本発明の精神と原則内に行うすべての修正、等同置換、改善等はすべて本発明の保護範囲内に含まれるべきである。
【産業上の利用可能性】
【００３４】
本発明は回路が簡単で、PCBが占用する面積が小さく、ハードウェアのコストが低いメリットを有する上に、イヤホン挿抜検出の信頼性を効果的に向上できる。
【図１】
0005562442.tif 000002
【図２】
0005562442.tif 000003
【図３】
0005562442.tif 000004
【図４】
0005562442.tif 000005
【図５】
0005562442.tif 000006